(57)【要約】      （修正有）【課題】レーザ光や赤外線を用いて、損傷を受けた髪を回復させることができ、また、ストレートパーマをかけるときに、髪の中和度を容易に確認することを可能にするヘアードレッシング装置を提供する。【解決手段】ヒンジ１２で連結された第１のアーム１０−１と第２のアーム１０−２とを有し、第１のアームおよび第２のアームは各々、グリップ部と該グリップ部から延出するヘッド部とを備えている。第１のアームは、ヘッド部に配置された、髪を加熱する少なくとも1つの電気ヒーターを有している第１の発熱体２０−１を備えている。第２のアームは、ヘッド部に並んで配置された、異なる温度で髪を加熱する２つの電気ヒーターを有している第２の発熱体と、第２のアームの外表面に設けられ、実行されるパーマ処理に関する情報を表示するデジタルディスプレイ部２８とを備えている。【選択図】図２
2009254796.tif 000002
【特許請求の範囲】
【請求項１】
第１のアームと、第２のアームと、を備えているヘアードレッシング装置であって、前記第１のアームと前記第２のアームは、それぞれが互いの方向に向かって押されると接触した状態となって閉じることができるようにヒンジで連結されており、かつ該第１のアームと該第２のアームは、それぞれ、グリップ部と、該グリップ部から延出するヘッド部と、を備えており、
前記第１のアームは、前記ヘッド部に配置された、髪を加熱する少なくとも１つの電気ヒーターを有している第１の発熱体を備えており、
前記第２のアームは、前記ヘッド部に並んで配置された、異なる温度で髪を加熱する２つの電気ヒーターを有している第２の発熱体と、前記第２のアームの外表面に設けられ、実行されるパーマ処理に関する情報を表示するデジタルディスプレイ部と、を備えていることを特徴とする前記ヘアードレッシング装置。
【請求項２】
前記第１のアームの前記第１の発熱体の前記電気ヒーターは、互いに平行に配置された第１のセラミックヒーターと第２のセラミックヒーターを含んでおり、
前記第１のアームは、前記第１のセラミックヒーターと前記第２のセラミックヒーターの間に略等間隔に形成された複数の蒸気吸引孔を有している請求項１に記載のヘアードレッシング装置。
【請求項３】
前記第２のアームの前記第２の発熱体の２つのセラミックヒーターは、互いに平行に配置された第３のセラミックヒーターと第４のセラミックヒーターを含んでおり、
前記第２のアームは、前記第３のセラミックヒーターと前記第４のセラミックヒーターの間に設けられたダイオードユニットを有している請求項２に記載のヘアードレッシング装置。
【請求項４】
前記ダイオードユニットは、髪にレーザ光を照射する複数のレーザダイオードと、髪に向かって赤外線を放射する複数の赤外線ダイオードと、を有しており、
前記複数のレーザダイオードおよび前記複数の赤外線ダイオードは、前記第３のセラミックヒーターと前記第４のセラミックヒーターに沿って交互に配置されている請求項３に記載のヘアードレッシング装置。
【請求項５】
前記第１のセラミックヒーターおよび前記第３のセラミックヒーターは、２００℃から２５０℃の温度範囲で髪を加熱するように設計されており、
前記第２のセラミックヒーターおよび前記第４のセラミックヒーターは、５５℃から７５℃の温度範囲で髪を加熱するように設計されている請求項３に記載のヘアードレッシング装置。
【請求項６】
前記第１のアームの前記第１の発熱体の前記電気ヒーターは、単一のセラミックヒーターを含んでおり、
イオン発生器は、前記第１のアームの内表面に設けられ、マイナスイオンを発生する請求項１に記載のヘアードレッシング装置。
【発明の詳細な説明】
【技術分野】
【０００１】
本発明は、理容または美容用のヘアードレッシング装置に関し、より詳しくは、レーザ光や赤外線を用いて損傷した髪を回復させること、音声によってまたはデジタルディスプレイ部を介してストレートパーマをかけ始める時点を示すこと、および高温または低温でストレートパーマをかけることが可能なヘアードレッシング装置に関する。
【背景技術】
【０００２】
通常、理容または美容用のヘアードレッシング装置は、様々なヘアースタイルを作りだすために使用されている。髪を乾かすためのヘアードライヤーや、髪にウエーブをつけるためのヘアーカーラーや、髪をストレートにするための装置などを含む多くの異なる種類のヘアードレッシング装置がある。これらのヘアードレッシング装置のほとんどは、電力によって作動する。
【０００３】
本発明は、髪をストレートにするための、すなわち髪にストレートパーマをかけるための理容または美容用ヘアードレッシング装置を対象としている。このようなヘアードレッシング装置の例を図１に示す。
【０００４】
図１は、髪にストレートパーマをかけるための従来のヘアードレッシング装置を示している。このヘアードレッシング装置は、第１のアーム１０−１と第２のアーム１０−２から構成されている。これらのアームは、一対のグリップ部４−１および４-２と、該グリップ部４−１および４-２から延出する一対のヘッド部８−１および８−２と、それぞれ該ヘッド部８−１および８−２の内表面に取り付けられた一対の発熱体６−１および６−２とを有している。
【０００５】
第１のアーム１０−１と第２のアーム１０−２は、ヒンジ１２によってそれぞれの一端部で連結されており、外力がグリップ部４−１および４−２に加えられるとヒンジを中心に回転することができるようになっている。
【０００６】
発熱体６−１および６−２は、平面形状をしており電力で加熱される。グリップ部４−１および４-２が一緒に押されると、発熱体６−１および６−２は互いに接触する。このヘアードレッシング装置を発熱体６−１と６−２の間に挟まれた髪に沿って引っ張ると、髪はストレートになる。
【０００７】
上述のヘアードレッシング装置を、縮毛等の髪をストレートにするストレートパーマをかける場合に使用してもよい。ストレートパーマをかけるときは、まず髪を中和するために液状のパーマ溶液を髪に塗布する。髪が中和されてストレートパーマをかけ始める時点になると、ヘアードレッシング装置に電流が供給されて、発熱体６−１および６−２は特定の温度にまで加熱される。
【０００８】
発熱体６−１および６−２が特定の温度に達したら、ユーザは、一方の手でヘアードレッシング装置のグリップ部４−１および４−２を握り、もう一方の手で髪を頭から離れるように引っ張る。次に、広げたままのヘッド部８−１および８−２それぞれの発熱体６−１と６−２の間に髪を挟む。
【０００９】
次に、グリップ部４−１および４−２を一緒に押しながら、髪に沿ってヘアードレッシング装置を動かす。その結果、髪は発熱体６−１および６−２によってアイロンをかけられてストレートになり、ストレートパーマが終了する。
【００１０】
ストレートパーマが終了した後、ストレートパーマの持続期間を長くするために硬化剤を髪に塗布する。通常のウエイブパーマとは違って、ストレートパーマは約６ヵ月間持続する。
【００１１】
以上のようにして行われるストレートパーマにおいては、ストレートパーマをかける前に、髪の中和度を正確に測定することが重要である。これは、不適切な中和状態でパーマをかけた場合、髪が重大な損傷を被ることがあるからである。
【００１２】
従来のヘアードレッシング装置でストレートパーマをかける場合、液状パーマ溶液が塗布された時点から特定の時間が経過した後に、髪を引っ張ることによって髪の中和度を経験的に測定する。このような経験を必要とするということは、初心者がパーマをかけ始める時点を正確に決定することが難しいという状況に遭遇する可能性があることを意味する。パーマをかけ始める時点を正確に決定しないと、髪に重大な損傷を与えるかもしれないという問題がある。特に、人工の髪の場合、中和度が適切でないとパーマの効果が短時間で消滅するという問題がある。
【発明の開示】
【発明が解決しようとする課題】
【００１３】
本発明の目的は、従来例に内在する上記問題に鑑み、レーザ光や赤外線を用いて、損傷を受けた髪を回復させることできるヘアードレッシング装置を提供することである。
【００１４】
本発明の他の目的は、ストレートパーマをかけるときに、髪の中和度を容易に確認することを可能にするヘアードレッシング装置を提供することである。
【００１５】
本発明の別の目的は、音声またはデジタル的にストレートパーマを開始するのに適した時点を示すことができるヘアードレッシング装置を提供することである。
【００１６】
本発明のさらに別の目的は、高温および低温のいずれの温度でもパーマをかけることができ、それゆえに、天然の髪と同様に人工の髪でも容易にパーマをかけることができるヘアードレッシング装置を提供することである。
【課題を解決するための手段】
【００１７】
上記目的に鑑み、本発明が提供するヘアードレッシング装置は、第１のアームと、第２のアームと、を備えており、前記第１のアームと前記第２のアームは、それぞれが互いの方向に向かって押されると接触した状態となって閉じることができるようにヒンジで連結されており、かつ該第１のアームと該第２のアームは、それぞれ、グリップ部と、該グリップ部から延出するヘッド部と、を備えており、
前記第１のアームは、前記ヘッド部に配置された、髪を加熱する少なくとも1つの電気ヒーターを有している第１の発熱体を備えており、前記第２のアームは、前記ヘッド部に並んで配置された、異なる温度で髪を加熱する２つの電気ヒーターを有している第２の発熱体と、前記第２のアームの外表面に設けられ、実行されるパーマ処理に関する情報を表示するデジタルディスプレイ部と、を備えている。
【００１８】
上記ヘアードレッシング装置では、前記第１のアームの前記第１の発熱体の前記電気ヒーターは、互いに平行に配置された第１のセラミックヒーターと第２のセラミックヒーターを含んでおり、前記第１のアームは、前記第１のセラミックヒーターと前記第２のセラミックヒーターの間に略等間隔に形成された複数の蒸気吸引孔を有している。
【００１９】
このヘアードレッシング装置では、前記第２のアームの前記第２の発熱体の２つのセラミックヒーターは、互いに平行に配置された第３のセラミックヒーターと第４のセラミックヒーターを含んでおり、前記第２のアームは、前記第３のセラミックヒーターと前記第４のセラミックヒーターの間に設けられたダイオードユニットを有している。
【００２０】
上記ヘアードレッシング装置では、前記ダイオードユニットは、髪にレーザ光を照射する複数のレーザダイオードと、髪に向かって赤外線を放射する複数の赤外線ダイオードと、を有しており、前記複数のレーザダイオードおよび前記複数の赤外線ダイオードは、前記第３のセラミックヒーターと前記第４のセラミックヒーターに沿って交互に配置されている。
【００２１】
上記ヘアードレッシング装置では、前記第１のセラミックヒーターおよび前記第３のセラミックヒーターは、２００℃から２５０℃の温度範囲で髪を加熱するように設計されており、前記第２のセラミックヒーターおよび前記第４のセラミックヒーターは、５５℃から７５℃の温度範囲で髪を加熱するように設計されている。
【００２２】
上記ヘアードレッシング装置では、前記第１のアームの前記第１の発熱体の前記電気ヒーターは、単一のセラミックヒーターを含んでおり、イオン発生器は、前記第１のアームの内表面に設けられ、マイナスイオンを発生する。
【発明の効果】
【００２３】
本発明のヘアードレッシング装置によれば、レーザ光を髪を通して伝搬させることによって、ストレートパーマの開始時点を正確に決定することができるという利点が提供される。
【００２４】
本発明のヘアードレッシング装置によって提供される別の利点は、高温発熱体と低温発熱体を選択的に使用することによって、天然の髪と同様に人工の髪にもパーマを容易にかけることができるという点にある。
【００２５】
本発明のヘアードレッシング装置によって提供されるさらに別の利点は、パーマをかけるときに、髪にマイナスイオンまたは赤外線を照射することによって、損傷した髪を回復し、つややかで柔らかな髪にすることができるという点にある。
【発明を実施するための最良の形態】
【００２６】
本発明の前述した目的、特徴およびそれら以外の目的、特徴は、添付図面と関連して記載された本発明の好適実施形態の以下の説明から明らかとなるであろう。
【好適実施形態の詳細な説明】
【００２７】
以下、本発明に係るヘアードレッシング装置の好適実施形態を添付図面に沿って詳細に説明する。従来例の構成要素と同一の構成要素を示す場合には、従来例の記述に使用した符号と同一の符号を用いている。
【００２８】
図２に関して、本発明のヘアードレッシング装置は、特定の角度でヒンジ１２を中心に回転可能な第１のアーム１０−１および第２のアーム１０−２を有している。第１のアーム１０−１および第２のアーム１０−２は、それぞれが互いの方向に向かって押されると、接触した状態となって（きっちりと）閉じることができる。第１のアームおよび第２のアームのそれぞれが、グリップ部と該グリップ部から延出するヘッド部から形成されている。第１のアーム１０−１は、第1の発熱体２０−１を有している。この第1の発熱体２０−１は、２つのヒーター(例えば、第１のアーム１０−１のヘッド部に並んで配置され、異なる温度で髪を加熱する第１の細長いセラミックヒーター２０−１１および第２の細長いセラミックヒーター２０−１２)を備えている。また、第１の発熱体２０−１は、第１のセラミックヒーター２０−１１と第２のセラミックヒーター２０−１２の間に等間隔に配置された複数の蒸気吸引孔２２を有している。蒸気吸引孔２２は、ぬれた髪にパーマをかけるときに生じる蒸気を吸い上げる機能を有する。
【００２９】
第１のセラミックヒーター２０−１１および第２のセラミックヒーター２０−１２は、レーザ光を反射できるように、陽極酸化法によってチタニウムまたはパラジウムでコーティングされており、互いに平行に配置されて異なる温度で熱を発生するように構成されている。第１のセラミックヒーター２０−１１は、蒸気吸引孔２２を第２のセラミックヒーター２０−１２との間に配置できるように、第２のセラミックヒーター２０−１２と離れて配置されている。第１のセラミックヒーター２０−１１は、第２のセラミックヒーター２０−１２が発生する熱よりも高温の熱を発生するように構成されている。対照的に、第２のセラミックヒーター２０−１２は、第１のセラミックヒーター２０−１が発生する熱よりも低温の熱を発生するように構成されている。
【００３０】
第１のセラミックヒーター２０−１１と第２のセラミックヒーター２０−１２の加熱温度を異なるように設定するのは、髪を最初に高い温度で加熱し、その後低い温度で加熱するとパーマを容易にかけることができるからである。
【００３１】
マイナスイオンを発生させるイオン発生器２４は、第１のアーム１０−１の内表面に配置されている。イオン発生器２４は、ストレートパーマをかける過程で電気的にマイナスイオンを発生するように構成されている。イオン発生器２４から放射されたマイナスイオンは、パーマによる髪の損傷を予防するのに役立つ。
【００３２】
第２のアーム１０−２は、第１のアーム１０−１にヒンジで結合されていて、第１の発熱体２０−１と直面するように配置されている第２の発熱体２０−２を備えている。第２の発熱体２０−２は、２つのヒーター(例えば、第１のアーム１０−２のヘッド部に並んで配置され、異なる温度で髪を加熱する第３の細長いセラミックヒーター２０−１３および第４の細長いセラミックヒーター２０−１４)を有している。レーザ光および赤外線を照射するダイオードユニット２６は、第３のセラミックヒーター２０−２３と第４のセラミックヒーター２０−２４の間に配置されている。
【００３３】
第３のセラミックヒーター２０−２３および第４のセラミックヒーター２０−２４は、ダイオードユニット２６から照射されるレーザ光を反射できるように、陽極酸化法によってチタニウムまたはパラジウムでコーティングされており、互いに平行に配置されて異なる温度で熱を発生するように構成されている。第３のセラミックヒーター２０−２３は、第４のセラミックヒーター２０−２４と離れて配置されており、第４のセラミックヒーター２０−２４が発生する熱よりも高温の熱を発生するように構成されている。対照的に、第４のセラミックヒーター２０−２４は、第３のセラミックヒーター２０−２３が発生する熱よりも低温の熱を発生するように構成されている。
【００３４】
第３のセラミックヒーター２０−２３と第４のセラミックヒーター２０−２４の加熱温度を異なるように設定するのは、最初に髪を高い温度で加熱し、その後低い温度で加熱するとパーマを容易にかけることができるからである。
【００３５】
第１のセラミックヒーター２０−１１および第２のセラミックヒーター２０−１２と、第３のセラミックヒーター２０−２３および第４のセラミックヒーター２０−２４は、上記実施形態においてはそれぞれ対で配置されているが、第１のアーム１０−１および第２のアーム１０−２のいずれか一方は、単一の電気ヒーター(例えば、図４に示されている単一の細長いセラミックヒーター)を有している発熱体２０−３を備えていてもよい。
【００３６】
ダイオードユニット２６は、第２の発熱体２０−２の第３セラミックヒーター２０−２３と第４セラミックヒーター２０−２４の間に配置されており、レーザ光を照射する複数のレーザダイオード２６−１と赤外線を照射する複数の赤外線ダイオード２６−２とを有している。レーザダイオード２６−１および赤外線ダイオード２６−２は、交互に配置されるのが好ましい。
【００３７】
レーザダイオード２６−１は、髪に向かってレーザ光を放射する機能を有する。レーザ光は、髪を通って伝搬されて第１の発熱体２０−１によって反射される。レーザセンサ（図示せず）は、レーザ光を感知するために設けられている。
【００３８】
レーザ光の強度、すなわち、レーザセンサが検出した髪の中和度に応じて、ストレートパーマをかけ始めるのに適切な時点が第２のアーム１０−２に設けられたデジタルディスプレイ部２８に表示される。デジタルディスプレイ部２８は、ヘアードレッシング装置が行うパーマに関する情報を表示する機能を有する。別のやり方として、もしくはこれに加えて、デジタル表示の代わりに、ストレートパーマをかけ始めるのに適切な時点は、音声メッセージで示してもよい。
【００３９】
髪に向かって放射されたレーザ光は、正常な髪には何ら影響を与えることなく通過するが、レーザ光が損傷した髪を通過すると、髪の損傷部分は、レーザ光によって溶かされて回復する。
【００４０】
赤外線ダイオード２６−２は、パーマをかける過程で髪に赤外線を照射して、髪を損傷から守り健康な髪を維持するように設計されている。
【００４１】
第２のアーム１０−２に設けられたデジタルディスプレイ部２８は、加熱温度、レーザ出力、赤外線出力、ストレートパーマをかけ始めるのに適切な時点、およびその他の情報を表示する機能を有する。ストレートパーマをかけ始めるのに適切な時点は、使用時の利便性を高めるために音声によって示されてもよい。
【００４２】
第１のアーム１０−１および第２のアーム１０−２にそれぞれ設けられた第１の発熱体２０−１、第２の発熱体２０−２、イオン発生器２４、およびデジタルディスプレイ部２８は、第１のアーム１０−１および第２のアーム１０−２のいずれか一方または両方に設置されたコントローラによって制御される。
【００４３】
第１のセラミックヒーター２０−１１および第３のセラミックヒーター２０−２３は、２００℃から２５０℃の温度、好ましくは２３０℃の温度の熱を発生するようになっている。第２のセラミックヒーター２０−１２および第４のセラミックヒーター２０−２４は、５５℃から７５℃の温度、好ましくは６５℃の温度の熱を発生するようになっている。
【００４４】
上述したように、第１の発熱体２０−１と第２の発熱体２０−２の加熱温度に差を付けることによって、最初に髪を高い温度で加熱し、その後低い温度で加熱することが可能となる。これによって、髪が天然であるか人工であるかに関わらず自由にパーマをかけることが可能となり、また長期間にわたってパーマを維持することも可能となる。
【００４５】
以下、本発明に係るヘアードレッシング装置の機能および操作を説明する。
【００４６】
電力がヘアードレッシング装置に加えられると、ユーザは、デジタルディスプレイ部２８のボタンを操作して、第１の発熱体２０−１および第２の発熱体２０−２の加熱温度、マイナスイオンおよび赤外線の発生状態、蒸気の吸引状態等を設定する。次に、ストレートパーマをかける準備として、液体アンモニアなどの液状パーマ溶液を髪に塗布する。
【００４７】
特定の時間の経過後、デジタルディスプレイ部２８を操作して、レーザダイオード２６−１がレーザ光を放射できるようにする。この状態で、髪を第１の発熱体２０−１と第２の発熱体２０−２の間に挟む。
【００４８】
レーザダイオード２６−１から放射されたレーザ光は、髪を伝搬し第１の発熱体２０−１によって反射される。このように反射したレーザ光をレーザセンサが感知する。その感知結果に基づいて、コントローラによって髪の中和度を測定する。中和度が所望値に到達すると、デジタルディスプレイ部２８は、ストレートパーマを開始するのに適した時点であることを表示する。ストレートパーマを開始するのに適した時点は、音声メッセージによってもユーザに通知される。これによって、ユーザは、髪を引っ張ってストレートパーマを開始するのに適した時点を経験的に決定する従来の方法と比較して、ストレートパーマを開始するのに適した時点を正確に認識することが可能となる。
【００４９】
ストレートパーマを開始するのに適した時点が来たら、液状パーマ溶液で被覆された髪を第１の発熱体２０−１と第２の発熱体２０−２の間に挟み、続いて髪に沿ってヘアードレッシング装置を下方に摺動させる。その結果、髪は、ストレートパーマ処理を受けてストレートに整えられる。
【００５０】
ストレートパーマ処理の間、イオン発生器２６は髪に向かってマイナスイオンを放射し、赤外線ダイオード２６−２は髪に赤外線を照射する。髪は、マイナスイオンおよび赤外線の影響を受け、損傷をまぬがれ、光沢のある健康な髪が維持される。
【００５１】
一方、ヘアードレッシング装置を下方に摺動している間に発生する蒸気は、第１の発熱体２０−１の第１のセラミックヒーター２０−１１と第２のセラミックヒーター２０−１２の間に形成された蒸気吸引孔２２の中に吸引される。これにより、蒸気がユーザの視界を妨げることを防ぐので、ユーザは容易にパーマをかけることができる。
【００５２】
本発明のヘアードレッシング装置を用いた場合、まず、第１のセラミックヒーター２０−１１および第３のセラミックヒーター２０−２３によって約２３０℃と高い温度で、髪にアイロンがかけられる、すなわち、髪が熱硬化される。続いて、第２のセラミックヒーター２０−１２および第４のセラミックヒーター２０−２４によって約６５℃と低い温度で、髪にアイロンがかけられる、すなわち、髪が熱硬化される。
【００５３】
これにより、本発明のヘアードレッシング装置は、ユーザが意図すれば、天然の髪と同様に人工の髪にもパーマをかけることを可能とする。一般に、人工の髪は、天然の髪よりもパーマをかけるのが難しく、パーマをかける前の状態にすぐに戻る傾向がある。しかしながら、本発明のヘアードレッシング装置を用いた場合、人工の髪にも容易にパーマをかけることができ、またパーマの持続期間を延ばすことができる。これは、本発明のヘアードレッシング装置が高温および/または低温に操作可能であるからである。
【００５４】
本発明のヘアードレッシング装置は、髪を染めるのにも使用することができる。髪を染めるためには、まず化学毛髪染剤を髪に塗布して、髪をしなやかかつ柔らかくする。次に、髪を水で洗い硬化剤で被覆する。続いて、第１の発熱体２０−１と第２の発熱体２０−２の間に髪を挟んだ状態で、本発明ヘアードレッシング装置を髪に沿って摺動させる。その結果、化学毛髪染剤は髪に付着し、その状態で硬化する。
【００５５】
髪を染める過程では、ヘアードレッシング装置は、髪にレーザ光を照射している間、髪に沿って摺動させるのが好ましい。このとき、髪は第１の発熱体２０−１および第２の発熱体２０−２によって加熱され、レーザ光は髪を通って伝搬される。レーザ光は、正常な髪には何ら影響を与えることなく通過する。しかしながら、レーザ光が損傷した髪を通過すると、髪の損傷部分は溶かされて、結合される。このようにして、損傷した髪は、光沢のある健康な状態に回復される。さらに、髪を染める過程で照射されたレーザ光は、化学毛髪染剤が髪の表面にしっかりと付着するのを確実にする。これによって、染めた髪の色が鮮やかになり、髪を染める作業を迅速に行うことが可能となる。
【００５６】
本発明のいくつかの好適実施形態に関して上述したが、本発明はこれらの実施形態に限定されるものではない。本発明は、特許請求の範囲に記載されている発明の範囲から逸脱することなく、種々の変更および修正を行うことができるということを理解されたし。
【図面の簡単な説明】
【００５７】
【図１】従来のヘアードレッシング装置を示す斜視図である。
【図２】本発明のある実施形態に係るヘアードレッシング装置を示す斜視図である。
【図３】図２に示すヘアードレッシング装置の分解斜視図である。
【図４】本発明の別の実施形態に係るヘアードレッシング装置を示す分解斜視図である。
【図１】
2009254796.tif 000003
【図２】
2009254796.tif 000004
【図３】
2009254796.tif 000005
【図４】
2009254796.tif 000006